(57)【要約】【課題】露光光の透過率を維持しつつ、装置内の光学素子の汚染を効果的に防止することができる露光装置を提供する。【解決手段】本発明は、真空環境下でレチクル６上に形成された回路パターンをウエハ９上に露光するＥＵＶ露光装置７００であって、ＥＵＶ露光装置７００の内部を複数の領域に分離する複数の真空チャンバ１〜５と、並列した複数のワイヤ電極で構成されるワイヤ電極列３０とを有し、ワイヤ電極列３０は、隣り合う真空チャンバの境界に設けられた露光光通過用の開口部２５〜２８に配置され、第１の位相の交流電圧Ｖａが印加される第１のワイヤ電極群と第１の位相とは異なる第２の位相の交流電圧Ｖｂが印加される第２のワイヤ電極群とを有する。【選択図】図１
2009246046.tif 000002
【特許請求の範囲】
【請求項１】
真空環境下で原版上に形成された回路パターンを基板上に露光する露光装置であって、
前記露光装置の内部を複数の領域に分離する複数の真空チャンバと、
並列した複数のワイヤ電極で構成されるワイヤ電極列とを有し、
前記ワイヤ電極列は、隣り合う前記真空チャンバの境界に設けられた露光光通過用の開口部に配置され、第１の位相の交流電圧が印加される第１のワイヤ電極群と該第１の位相とは異なる第２の位相の交流電圧が印加される第２のワイヤ電極群とを有することを特徴とする露光装置。
【請求項２】
前記第１のワイヤ電極群を構成する第１のワイヤ電極及び前記第２のワイヤ電極群を構成する第２のワイヤ電極は、交互に配列されていることを特徴とする請求項１記載の露光装置。
【請求項３】
前記ワイヤ電極列は、さらに、前記第１の位相及び前記第２の位相のいずれとも異なる第３の位相の交流電圧が印加される第３のワイヤ電極群を有することを特徴とする請求項１記載の露光装置。
【請求項４】
前記第１のワイヤ電極群を構成する第１のワイヤ電極、前記第２のワイヤ電極群を構成する第２のワイヤ電極、及び、前記第３のワイヤ電極群を構成する第３のワイヤ電極は、順に配列されていることを特徴とする請求項３に記載の露光装置。
【請求項５】
前記ワイヤ電極列は、前記複数の真空チャンバのうち、ウエハステージを収容する真空チャンバと投影光学系を収容する真空チャンバとの境界に設けられた開口部に配置されていることを特徴とする請求項１乃至４のいずれか一に記載の露光装置。
【請求項６】
前記ワイヤ電極列は、前記複数の真空チャンバのうち、レチクルステージを収容する真空チャンバと照明光学系を収容する真空チャンバとの境界に設けられた開口部に配置されていることを特徴とする請求項１乃至４のいずれか一に記載の露光装置。
【請求項７】
前記ワイヤ電極列は、前記複数の真空チャンバのうち、照明光学系を収容する真空チャンバと光源を収容する真空チャンバとの境界に設けられた開口部に設置されていることを特徴とする請求項１乃至４のいずれか一に記載の露光装置。
【請求項８】
前記真空チャンバの内部には、該真空チャンバの内部で発生するパーティクルをイオン化するイオン化装置が設置されていることを特徴とする請求項１乃至７のいずれか一に記載の露光装置。
【請求項９】
前記真空チャンバの内部には、該真空チャンバの内部に存在する帯電したパーティクルを捕らえる補助電極が設置されていることを特徴とする請求項１乃至７のいずれか一に記載の露光装置。
【請求項１０】
請求項１乃至９のいずれか一に記載の露光装置を用いて基板を露光するステップと、
露光された前記基板を現像するステップと、を有することを特徴とするデバイス製造方法。
【発明の詳細な説明】
【技術分野】
【０００１】
本発明は露光装置に係り、特に、装置内の光学素子の汚染を効果的に防止する露光装置に関する。
【背景技術】
【０００２】
近年、半導体を製造するための光リソグラフィ技術にて用いられる露光光は、短波長化が進められ、ｉ線、ｇ線からＫｒＦエキシマレーザ光、ＡｒＦエキシマレーザ光へ進化してきた。露光光の短波長化が進むことで、より微細なマスクパターンをウエハに転写することが可能となる。
【０００３】
しかしながら、細い線幅のパターンを露光するためには、紫外光を用いたリソグラフィ技術では原理的限界にある。そこで近年では、紫外光より短波長である極端紫外光（ＥＵＶ光、波長：１３〜２０ｎｍ）を用いたＥＵＶリソグラフィ技術が注目を集めている。
【０００４】
ＥＵＶ光で用いられる代表的な波長は１３．５ｎｍである。このため、従来の光リソグラフィ技術を遥かに上回る解像度を実現することが可能となる。しかしその反面、ＥＵＶ光は物質に吸収されやすいという性質を持つ。このため、従来のような紫外光を光源としたリソグラフィ技術のように、屈折光学系を用いた縮小露光を行うと、硝材によってＥＵＶ光が吸収されてしまい、ウエハ等の被露光体に到達する光量が極端に少なくなってしまう。したがって、ＥＵＶ光を用いて露光を行う際には、反射光学系を用いた縮小露光を構成する必要がある。
【０００５】
ＥＵＶ露光装置に用いられるＥＵＶ光は、装置内の雰囲気によって吸収されてしまう。特に、酸素や水分はＥＵＶ光を強く吸収する。そのため、ＥＵＶ光の透過率を高く保つには、真空ポンプなどを利用してチャンバ内を真空状態にする必要がある。
【０００６】
半導体露光装置における回路パターンの露光では、ウエハ面上にレジストと呼ばれる感光剤が塗布されている必要がある。露光中に露光光とウエハに塗布されたレジストが反応することで、炭化水素などの放出ガスが発生する。ＥＵＶ露光装置においては、ＥＵＶ光のエネルギーが強いので、多量の放出ガスが発生する。
【０００７】
これらの放出ガスは、ウエハから投影光学系空間に飛散し、多層膜ミラーなどの光学素子表面において露光光に照射されると、光学素子表面にコンタミ物質となって付着する。放出ガスが炭化水素であれば、光学素子表面に炭素が付着する。光学素子に付着したコンタミ物質は、ＥＵＶ光を吸収し、光学素子の反射率を低下させる。光学素子の反射率が低下すると、スループットの低下へとつながる。
【０００８】
ＥＵＶ光源の一方式であるレーザープラズマは、ターゲット材に高強度のパルスレーザ光を照射することで、ターゲット材からＥＵＶ光を発生する。しかしそれとともに、デブリと呼ばれる粒子を発生する。このデブリが光源空間に飛散し、光学素子を汚染又は損傷し、反射率の低下を引き起こす。デブリが照明光学系空間に飛散すると、照明光学系空間内の光学素子を汚染する。
【０００９】
ＥＵＶ露光装置では、ＥＵＶ光の光量維持のため、光源空間、照明光学系空間、投影光学系空間に多層膜ミラーを設置し、反射光学系を構成している。多層膜ミラーにＥＵＶ光が照射されると二次電子が放出されることが知られている。この二次電子が光学素子に付着すると、光学素子を汚染し反射率が低下する。
【００１０】
また、ＥＵＶ露光装置では、装置チャンバ内のステージの可動部などからゴミ粒子が飛散する可能性がある。これらパーティクルもステージ空間から投影光学系空間に移動し、光学素子に付着することで、光学性能を劣化させる。
【００１１】
加えて、レチクルやウエハが装置チャンバに搬送されるまでに、ロボットハンドやゲートバルブの動作等、摺動や、摩擦によりパーティクルが発生し、これがレチクルやウエハに付着する可能性がある。レチクルやウエハに付着したこれらのゴミ粒子は、装置チャンバ内にレチクルやウエハが搬送された後に、光学素子が設置された空間に飛散していく可能性がある。このように、装置チャンバ外で発生したゴミ粒子が、装置チャンバ内に運びこまれ、装置チャンバ内の光学素子表面に付着し、光学性能を劣化させる可能性がある。
【００１２】
そこで、例えば特許文献１には、レジストから発生した放出ガスが投影光学系空間に進入しないようにするために、ウエハステージ空間と投影光学系空間の境界に薄膜を設ける方法が開示されている。
【特許文献１】特開２００５−４３８９５号公報
【発明の開示】
【発明が解決しようとする課題】
【００１３】
特許文献１の方法では、薄膜によって放出ガス、ゴミ粒子の移動を物理的に阻止することは可能である。しかしながら、薄膜の膜厚は１００ｎｍ以下と非常に薄いため、その薄膜の製造は極めて困難である。さらに、薄膜は１００ｎｍ以下の厚さのため、ワイヤなどの支持機構を必要とする。このため、薄膜を製造する際には、支持機構であるワイヤを含めて製造する必要があり、製造時の工数が多くなってコストがかかる。また、薄膜の厚さが数１００ｎｍの場合であっても、１３．５ｎｍの波長のＥＵＶ光の透過率は５０％程度となる。このため、薄膜がない場合と比較して、十分に透過率を維持しているとは言えない。
【００１４】
また、薄膜への放出ガスやパーティクルの付着により薄膜が汚染され、薄膜の性能劣化が避けられない。薄膜自体のクリーニングは困難だと考えられるため、薄膜の交換が必要となりスループットの低下につながる。
【００１５】
以上のように、従来技術では、露光光の透過率を維持した上で、ＥＵＶ露光装置内において放出ガスやデブリ、二次電子、ゴミ粒子などのパーティクルが各ユニットを自由に行き来するのを防ぎ、光学素子を汚染から守ることができない。
【００１６】
そこで本発明では、露光光の透過率を維持しつつ、装置内の光学素子の汚染を効果的に防止する露光装置を提供する。また本発明は、そのような露光装置を用いた高精度なデバイス製造方法を提供する。
【課題を解決するための手段】
【００１７】
本発明の一側面としての露光装置は、真空環境下で原版上に形成された回路パターンを基板上に露光する露光装置であって、前記露光装置の内部を複数の領域に分離する複数の真空チャンバと、並列した複数のワイヤ電極で構成されるワイヤ電極列とを有し、前記ワイヤ電極列は、隣り合う前記真空チャンバの境界に設けられた露光光通過用の開口部に配置され、第１の位相の交流電圧が印加される第１のワイヤ電極群と該第１の位相とは異なる第２の位相の交流電圧が印加される第２のワイヤ電極群とを有する。
【００１８】
本発明の他の目的及び特徴は、以下の実施例において説明される。
【発明の効果】
【００１９】
本発明によれば、露光光の透過率を維持しつつ、装置内の光学素子の汚染を効果的に防止する露光装置を提供することができる。
【００２０】
また、本発明によれば、そのような露光装置を用いた高精度なデバイス製造方法を提供することができる。
【発明を実施するための最良の形態】
【００２１】
以下、本発明の実施例について、図面を参照しながら詳細に説明する。各図において、同一の部材については同一の参照番号を付し、重複する説明は省略する。
【００２２】
まず、本実施例における露光装置の概略について説明する。図１は、本実施例における露光装置の概略構成図である。
【００２３】
ＥＵＶ露光装置７００は、真空環境下で原版上（レチクル上）に形成された回路パターンを基板上（ウエハ上）に露光する露光装置である。ＥＵＶ露光装置７００は、露光装置の内部を複数の領域に分離する複数の真空チャンバ１〜５を備えている。
【００２４】
真空チャンバ１は光源空間を構成し、その内部には光源１００が収容されている。真空チャンバ２は照明光学系空間を構成し、その内部には照明光学系２００が収容されている。真空チャンバ３は、その内部にレチクルステージを収容したレチクルステージ空間を構成する。真空チャンバ４は投影光学系空間を構成し、その内部には投影光学系４００が収容されている。真空チャンバ５は、その内部にウエハステージを収容したウエハステージ空間を構成する。
【００２５】
レチクルステージ空間を構成する真空チャンバ３には、レチクル６を保持するレチクル保持部７、及び、レチクル保持部７を搭載するレチクルステージ８が設けられている。また、真空チャンバ３には、レチクル６の位置合わせを行うために用いられるレチクルアライメント光学系１２が設けられている。
【００２６】
ウエハステージ空間を構成する真空チャンバ５には、ウエハ９を保持するウエハ保持部１０、及び、ウエハ保持部１０を搭載するウエハステージ１１が設けられている。また、真空チャンバ５には、ウエハ９の位置合わせを行うために用いられるウエハアライメント光学系１３、及び、フォーカス位置検出機構１４が設けられている。
【００２７】
光源１００から発せられたＥＵＶ光１５は、真空チャンバ２の内部に設けられた照明光学系ミラー１６、１７を介して、レチクル６に照射される。レチクル６にて反射されたＥＵＶ光１５は、真空チャンバ４の内部に設けられた投影光学系ミラー１８〜２３（多層膜ミラー）を介してウエハ９に照射される。
【００２８】
光源１００にはいくつか種類があり、その中の一つであるレーザ生成プラズマ光源は、ターゲット材２４の選択により、ほぼ必要な波長帯のみの発光を可能とする。例えば、Ｘｅをターゲット材としてパルスノズルから噴出し、これにパルスレーザを照射してプラズマを発生させると、波長１３〜１４ｎｍのＥＵＶ光が放射される。
【００２９】
ＥＵＶ露光装置７００は、ＥＵＶ光１５の物質による吸収を避けるため、ＥＵＶ光１５を照射する空間を真空に保つ必要がある。そのため、ＥＵＶ露光装置７００には、真空ポンプなどの排気系が複数台取り付けられている。ＥＵＶ光１５が通過するチャンバ内は、圧力が１０−３Ｐａ以下であり、酸素及び水分の分圧が限りなく低いことが望ましい。
【００３０】
照明光学系２００は、複数枚の照明光学系ミラー１６、１７（多層膜ミラー）と不図示のオプティカルインテグレータなどから構成されている。照明光学系２００の役割は、光源１００から放射された光を効率よく集光すること、及び、露光領域の照度を均一にすること等である。また、オプティカルインテグレータは、レチクル６（マスク）を所定の開口数で均一に照明する役割を持っている。
【００３１】
投影光学系４００は、投影光学系ミラー１８〜２３を有する。各投影光学系ミラー１８〜２３は、ＭｏとＳｉが交互にコーティングされた多層膜ミラーである。この多層膜は、ＥＵＶ光の直入反射率が６７％程度であるため、多層膜ミラーに吸収されたエネルギーの大部分は熱に変わる。このため、投影光学系ミラー１８〜２３の基板材料としては、低熱膨張ガラス等が用いられる。
【００３２】
レチクルステージ８及びウエハステージ１１は、真空環境下で駆動する機構を持ち、縮小倍率に比例した速度比により同期して走査する。また、レチクルステージ８及びウエハステージ１１の位置や姿勢は、不図示のレーザ干渉計により観測され、制御される。レチクルステージ８及びウエハステージ１１は、それぞれ微動機構を持ち、レチクル６又はウエハ９のそれぞれの位置決めが可能である。
【００３３】
アライメント検出機構は、レチクルアライメント光学系１２及びウエハアライメント光学系１３を備える。これらのレチクルアライメント光学系１２及びウエハアライメント光学系１３は、それぞれ、レチクル６の位置と投影光学系４００の光軸との位置関係、及び、ウエハ９と投影光学系４００の光軸との位置関係を計測する。その結果に基づき、レチクル６の投影像がウエハ９上における所定の位置に一致するように、レチクルステージ８及びウエハステージ１１の位置と角度が調整される。
【００３４】
また、フォーカス位置検出機構１４は、投影光学系４００の結像位置をウエハ面上に保つために、ウエハ面上における垂直方向のフォーカス位置を検出する。
【００３５】
一回の露光が終わると、ウエハステージ１１は、Ｘ方向及びＹ方向にステップ移動して次の走査露光開始位置に移動し、再び露光が行われる。このとき、ＥＵＶ露光装置７００の内部において放出ガスやデブリ、二次電子、ゴミ粒子等のパーティクルが発生する。このパーティクルが光学素子に付着すると、光学素子の表面が汚染される。
【００３６】
そこで本実施例では、パーティクルが各ユニットを自由に行き来するのを防止するため、隣り合う真空チャンバの境界（壁４５、４６、４７、４８）に設けられた露光光通過用の開口部２５〜２８に、ワイヤ電極列３０が配置されている。
【００３７】
図１に示されるように、ワイヤ電極列３０は、光源空間（真空チャンバ１）と照明光学系空間（真空チャンバ２）との境界の開口部２５、及び、照明光学系空間（真空チャンバ２）とレチクルステージ空間（真空チャンバ３）との境界の開口部２６に配置されている。また、ワイヤ電極列３０は、レチクルステージ空間（真空チャンバ３）と投影光学系空間（真空チャンバ４）との境界の開口部２７、及び、ウエハステージ空間（真空チャンバ５）と投影光学系空間（真空チャンバ４）との境界の開口部２８に配置されている。
【００３８】
このように、隣り合う真空チャンバの境界の開口部にワイヤ電極列３０を設けることにより、各真空チャンバ間（各ユニット間）でのパーティクルの自由な行き来を防止することが可能になる。
【００３９】
以下、ワイヤ電極列３０の具体的な実施例について説明する。
【実施例１】
【００４０】
まず、本発明の実施例１について説明する。図２は、実施例１の露光装置におけるウエハステージ空間（真空チャンバ５）及び投影光学系空間（真空チャンバ４）を示す。本実施例では、ウエハステージ空間（真空チャンバ５）と投影光学系空間（真空チャンバ４）の境界における露光光通過用の開口部２８にワイヤ電極列３０が配置されている。
【００４１】
ワイヤ電極列３０は、並列した複数のワイヤ電極で構成される。２つ以上のワイヤ電極を有するワイヤ電極は、水平に等間隔に並べることでメッシュ状に配置されている。また、ワイヤ電極列３０は、第１の位相の交流電圧が印加される第１のワイヤ電極群と、第１の位相とは異なる第２の位相の交流電圧が印加される第２のワイヤ電極群とを有する。
【００４２】
ワイヤ電極列３０は、各電極群に互いに位相の異なる交流電圧が印加されることにより、帯電したパーティクル２９が隣り合う他の空間に侵入するのを防止する。このように、ワイヤ電極列３０は、帯電したパーティクル２９を跳ね返すように、又は、帯電したパーティクル２９を搬送する非接触の電界カーテンとして作用する。
【００４３】
このため、ウエハステージ空間（真空チャンバ５）で発生したパーティクル２９は、開口部２８を通って投影光学系空間（真空チャンバ４）へ侵入することはない。同様に、投影光学系空間（真空チャンバ５）で発生したパーティクル２９は、開口部２８を通ってウエハステージ空間（真空チャンバ５）へ侵入することはない。
【００４４】
次に、ワイヤ電極列の構成とその効果について説明する。図３は、本実施例において、第１のワイヤ電極群Ｗａと第２のワイヤ電極群Ｗｂの２つのワイヤ電極群で構成されたワイヤ電極列を示す。
【００４５】
第１のワイヤ電極群Ｗａは、複数の第１のワイヤ電極Ｗａ１〜Ｗａ５から構成されている。同様に、第２のワイヤ電極群Ｗｂは、複数の第２のワイヤ電極Ｗｂ１〜Ｗｂ２から構成されている。また、第１のワイヤ電極群Ｗａを構成する第１のワイヤ電極Ｗａ１〜Ｗａ５及び第２のワイヤ電極群Ｗｂを構成する第２のワイヤ電極Ｗｂ１〜Ｗｂ５は、交互に配列されている。
【００４６】
図３では、第１のワイヤ電極群Ｗａは５本の第１のワイヤ電極Ｗａ１〜Ｗａ５から構成され、第２のワイヤ電極群Ｗｂは５本の第２のワイヤ電極Ｗｂ１〜Ｗｂ５から構成されている。第１のワイヤ電極群Ｗａに含まれる第１のワイヤ電極、及び、第２のワイヤ電極群Ｗｂに含まれる第２のワイヤ電極の数は、これに限定されるものではない。第１のワイヤ電極群Ｗａは少なくとも１本の第１のワイヤ電極を有し、第２のワイヤ電極群Ｗｂは少なくとも１本の第２のワイヤ電極を有していればよい。ただし、第１のワイヤ電極群Ｗａ及び第２のワイヤ電極群Ｗｂは、それぞれ、複数の第１のワイヤ電極及び複数の第２のワイヤ電極から構成されることがより好ましい。ワイヤ電極列は、例えば１００本程度のワイヤ電極から構成される。
【００４７】
第１のワイヤ電極Ｗａ１〜Ｗａ５及び第２のワイヤ電極Ｗｂ１〜Ｗｂ５は、等間隔で水平に並べてメッシュ状に配置される。第１のワイヤ電極群Ｗａを構成する第１のワイヤ電極Ｗａ１〜Ｗａ５は、第１の位相の交流電圧Ｖａを印加する交流電源に接続されている。また、第２のワイヤ電極群Ｗｂを構成する第２のワイヤ電極Ｗｂ１〜Ｗｂ５は、第２の位相の交流電圧Ｖｂを印加する交流電源に接続されている。
【００４８】
第１のワイヤ電極Ｗａ１〜Ｗａ５及び第２のワイヤ電極Ｗｂ１〜Ｗｂ５の材料としては、例えばステンレス鋼（ＳＵＳ）が用いられる。ただし、これに限定されるものではなく、耐久性があり細線化が可能であれば他の材料でも構わない。例えば、金（Ａｕ）、白金（Ｐｔ）、クロム（Ｃｒ）、ニッケル（Ｎｉ）等を用いてもよい。
【００４９】
本実施例の露光装置に用いられるワイヤ電極において、ワイヤ径Ｄ及びワイヤ間隔Ｐは、それぞれ、Ｄ＜１００μｍ、Ｐ＞１００μｍを満たすことが好ましい。例えば、ワイヤ径Ｄを１０μｍ、ワイヤ間隔Ｐを２５０μｍとしてワイヤ電極列を構成する。露光光は、波長が短くなるほど減衰しやすくなるため、より短い波長の露光光を用いる場合には、ワイヤ径Ｄをさらに小さくし、かつ、ワイヤ間隔Ｐをさらに大きくすることがより好ましい。
【００５０】
図４は、本実施例において、第１のワイヤ電極群Ｗａ、第２のワイヤ電極群Ｗｂ、第３のワイヤ電極群Ｗｃの３つのワイヤ電極群で構成されたワイヤ電極列を示す。
【００５１】
図４に示されるワイヤ電極列は、第１のワイヤ電極群Ｗａ及び第２のワイヤ電極群Ｗｂに加えて、第１の位相及び第２の位相のいずれとも異なる第３の位相の交流電圧Ｖｃが印加される第３のワイヤ電極群Ｗｃを有する。
【００５２】
第１のワイヤ電極Ｗａ１〜Ｗａ５、第２のワイヤ電極Ｗｂ１〜Ｗｂ５、及び、第３のワイヤ電極Ｗｃ１〜Ｗｃ５は、順に配列されている。すなわち、各ワイヤ電極群を構成するワイヤ電極は、１本ずつ順番に繰り返し並べられている。
【００５３】
図４に示されるように、第１のワイヤ電極群Ｗａは３本のワイヤ電極Ｗａ１〜Ｗａ３から、また、第２のワイヤ電極群Ｗｂは３本のワイヤ電極Ｗｂ１〜Ｗｂ３から、それぞれ構成されている。同様に、第３のワイヤ電極群Ｗｃは３本のワイヤ電極Ｗｃ１〜Ｗｃ３から構成されている。ただし、各ワイヤ電極群に含まれるワイヤ電極の本数はこれに限定されるものではない。第１のワイヤ電極、第２のワイヤ電極、及び、第３のワイヤ電極はそれぞれ、少なくとも１本以上あればよい。
【００５４】
第１のワイヤ電極Ｗａ１〜Ｗａ３、第２のワイヤ電極Ｗｂ１〜Ｗｂ３、及び、第３のワイヤ電極Ｗｃ１〜Ｗｃ３は、等間隔で水平に並べてメッシュ状に配置される。第１のワイヤ電極群Ｗａを構成する第１のワイヤ電極Ｗａ１〜Ｗａ３は、第１の位相の交流電圧Ｖａを印加する交流電源に接続されている。また、第２のワイヤ電極群Ｗｂを構成する第２のワイヤ電極Ｗｂ１〜Ｗｂ３は、第２の位相の交流電圧Ｖｂを印加する交流電源に接続されている。さらに、第３のワイヤ電極群Ｗｃを構成する第３のワイヤ電極Ｗｃ１〜Ｗｃ３は、第３の位相の交流電圧Ｖｃを印加する交流電源に接続されている。各交流電源により印加される交流電圧Ｖａ、Ｖｂ、Ｖｃの第１の位相、第２の位相、及び、第３の位相は、それぞれ異なっている。
【００５５】
ワイヤ電極列を３つのワイヤ電極群で構成した場合、ワイヤ電極列は、近づいてきたパーティクルを一方向に送り出すように作用する。このため、パーティクルを特定方向に導くように制御する場合には、ワイヤ電極列を３つ以上のワイヤ電極群で構成することが好ましい。
【００５６】
図５は、図３に示される２つのワイヤ電極群で構成されたワイヤ電極列に印加する交流電圧の波形図である。
【００５７】
図３に示されるように、ワイヤ電極列は、第１のワイヤ電極群Ｗａ及び第２のワイヤ電極群Ｗｂの２つの電極群から構成されている。そして、第１のワイヤ電極群Ｗａと第２のワイヤ電極群Ｗｂのそれぞれには、互いに１８０°位相の異なる交流電圧Ｖａ、Ｖｂが印加される。
【００５８】
図５には、電圧Ｖｐｐ＝２ｋＶ、周波数ｆ＝１０ｋＨｚの条件で、互いに位相を１８０°ずらして第１のワイヤ電極群Ｗａ及び第２のワイヤ電極群Ｗｂに印加した交流電圧Ｖａ、Ｖｂの波形が示されている。このように、第１のワイヤ電極群Ｗａに印加される第１の位相と第２のワイヤ電極群Ｗｂに印加される第２の位相の位相差は１８０°であることが好ましい。ただし、これに限定されるものではなく、第１の位相と第２の位相とが異なるように制御されていれば、１８０°以外の位相差に設定してもよい。
【００５９】
図６は、図４に示される３つのワイヤ電極群で構成されたワイヤ電極列に印加する交流電圧の波形図である。
【００６０】
図４に示されるように、ワイヤ電極列は、第１のワイヤ電極群Ｗａ、第２のワイヤ電極群Ｗｂ、及び、第３のワイヤ電極群Ｗｃの３つの電極群から構成されている。そして、第１のワイヤ電極群Ｗａ、第２のワイヤ電極群Ｗｂ、及び、第３のワイヤ電極群Ｗｃのそれぞれには、互いに１２０°位相の異なる交流電圧が印加される。
【００６１】
図６には、電圧Ｖｐｐ＝２ｋＶ、周波数ｆ＝１０ｋＨｚの条件で、互いに位相を１２０°ずらして第１のワイヤ電極群Ｗａ、第２のワイヤ電極群Ｗｂ、及び、第３のワイヤ電極群Ｗｃに印加した交流電圧Ｖａ、Ｖｂ、Ｖｃの波形が示されている。このように、第１の位相、第２の位相、及び、第３の位相の間の位相差は１２０°に設定することが好ましい。ただし、これに限定されるものではなく、これらの３つの位相がいずれも異なるように制御されていれば、１２０°以外の位相差に設定してもよい。
【００６２】
ワイヤ電極群の数は、２つや３つに限定されるものではなく、４つ以上のワイヤ電極群を用いることもできる。電極群の数をＮに一般化したとき、３６０／Ｎ°だけ位相の異なる交流電圧を各ワイヤ電極群に印加することが好ましい。ただし、これに限定されるものではなく、Ｎ個のワイヤ電極群に印加される交流電圧の位相のそれぞれがいずれも異なるように制御されていれば、３６０／Ｎ°以外の位相差に設定してもよい。
【００６３】
次に、図７を用いて、２つのワイヤ電極群でワイヤ電極列を構成したときに得られる効果を説明する。
【００６４】
２つのワイヤ電極群の位相は互いに１８０°異なる。このため、近接した２つのワイヤ電極には逆符号の電圧が印加され、ワイヤ電極間で電位勾配が発生する。帯電したパーティクル２９がワイヤ電極列に近づくと、近接した２つのワイヤ電極が作る電位勾配によって、パーティクル２９は静電気力を受ける。この静電気力の作用する方向は、パーティクル２９に近接した２つのワイヤ電極間にできる電気力線の接線方向である。
【００６５】
両ワイヤ電極群には交流電圧が印加される。このため、時間の経過によりワイヤ電極の電圧の正負は入れ替わり、２つのワイヤ電極間の電位勾配の正負も入れ替わる。つまり、時間の経過とともに、パーティクル２９に働く静電気力の方向が逆となり、パーティクル２９は一定の位置で静電気力を受けて振動する。２つのワイヤ電極間の電気力線は、ワイヤ電極列の面以外では外側に凸な曲線となる。このため、振動したパーティクル２９には遠心力が発生し、ワイヤ電極列から跳ね返される。したがって、ワイヤ電極列に近づいてくる帯電したパーティクル２９は、ワイヤ電極面を挟んで反対側の空間に進入することができない。
【００６６】
なお、２つのワイヤ電極群の位相差を１８０°に設定すると、両ワイヤ電極群が電圧ゼロになる場合がある。このため、２つのワイヤ電極群の間に印加する交流電圧の周波数を高く設定することがより好ましい。交流電圧の周波数を高く設定することにより、２つのワイヤ電極群に電圧が印加されない期間を短くすることができる。
【００６７】
また、３つ以上のワイヤ電極群でワイヤ電極列を構成したときに得られる効果は、以下のとおりである。
【００６８】
３つ以上のワイヤ電極群に互いに位相をずらした交流電圧を印加すると、ワイヤ電極列のワイヤ電極を構成する面に、進行波型不平等電界が得られる。帯電したパーティクル２９がワイヤ電極列に近づくと、パーティクルは進行波型不平等電界によってワイヤ電極面からある程度離れた位置で保持されながらワイヤ電極面と平行な方向に運搬される。このため、ワイヤ電極列に近づいてくる帯電したパーティクル２９は、ワイヤ電極面を挟んで反対側の空間に進入できない。
【００６９】
前述したように、レジストが塗布されたウエハ９に露光光が入射することによって、放出ガスが発生する。放出ガスは、ウエハステージ空間（真空チャンバ５）から投影光学系空間（真空チャンバ４）へ飛散し、光学素子に付着して光学性能を劣化させる。放出ガスは、露光光との作用により一部帯電している。
【００７０】
ここで、図２に示されるように、ワイヤ電極列３０をウエハステージ空間（真空チャンバ５）と投影光学系空間（真空チャンバ４）の境界（壁４８）における露光光通過用の開口部２８に設置する。ワイヤ電極列３０は配置されていることにより、帯電した放出ガスが開口部２８を介してウエハステージ空間（真空チャンバ５）から投影光学系空間（真空チャンバ４）に進入するのを防ぐことができる。
【００７１】
図８は、ウエハステージ空間（真空チャンバ５）と投影光学系空間（真空チャンバ４）の境界における露光光通過用の開口部２８の構成図である。
【００７２】
開口部２８の側壁３１は、金属で被覆されており、グランド電位（ＧＮＤ）に接地されている。このように、グランド電位に接地された金属がワイヤ電極列３０のワイヤ電極面に水平な方向を取り囲むことにより、ワイヤ電極列３０の作る電場が電気的なノイズとなってワイヤ電極列３０から離れた領域に影響を及ぼすのを抑制する。
【００７３】
ワイヤ電極は、開口部２８の側壁３１の金属部分に対して絶縁されている。ウエハステージ空間（真空チャンバ５）と投影光学系空間（真空チャンバ４）の境界を構成する壁４８の部材が金属であれば壁４８自体を、又は、壁４８と露光装置が一体に構成されているものであれば露光装置をグランド電位に接地させる。
【００７４】
また、ウエハステージ空間（真空チャンバ５）に存在するステージ可動部等から発生したゴミ粒子、又は、搬送過程でウエハに付着しウエハステージ空間（真空チャンバ５）に再飛散したゴミ粒子は、その発生過程により帯電している可能性が高い。このため、ワイヤ電極列３０が設けられていることにより、帯電したゴミ粒子がウエハステージ空間（真空チャンバ５）から投影光学系空間（真空チャンバ４）に進入するのを防ぐことができる。  
【００７５】
以上のように、本実施例の構成によれば、帯電した放出ガス、ゴミ粒子が、開口部２８を介して投影光学系空間の光学素子を汚染することを効果的に防止することができる。特に、本実施例の構成によれば、正に帯電した放出ガス、ゴミ粒子及び負に帯電した放出ガス、ゴミ粒子の両方による汚染を防ぐことが可能である。
【００７６】
投影光学系空間（真空チャンバ４）に設置されている投影光学系ミラー１８〜２３は、露光光の入射により二次電子を放出する。二次電子が光学素子に付着すると、光学性能が劣化する。ウエハステージ空間（真空チャンバ５）と投影光学系空間（真空チャンバ４）の境界にワイヤ電極列３０を設置することによって、二次電子が投影光学系空間（真空チャンバ４）からウエハステージ空間（真空チャンバ５）に進入するのを防ぐことができる。
【００７７】
また、投影光学系空間（真空チャンバ４）から発生した正又は負に帯電したゴミ粒子についても、投影光学系空間（真空チャンバ４）からウエハステージ空間（真空チャンバ５）に進入するのを防ぐことができる。このように、本実施例によれば、二次電子や帯電ゴミ粒子による開口部２８を介したウエハの汚染を効果的に防ぐことができる。また、本実施例によれば、開口部２８を介した双方向のパーティクル２９の進入を防ぐことができる。
【００７８】
次に、ワイヤ電極列３０が露光光の透過率に対して及ぼす影響について説明する。
【００７９】
本実施例の露光装置において、各ワイヤ電極のワイヤ径Ｄ及びワイヤ間隔Ｐをそれぞれ、Ｄ＜１００μｍ、Ｐ＞１００μｍを満たすものとすれば、露光光の照度劣化は十分小さい。つまり、ウエハステージ空間（真空チャンバ５）と投影光学系空間（真空チャンバ４）の境界にワイヤ電極列３０を配置しても、露光光の透過率を維持したままパーティクル２９の進入阻止が可能となる。
【００８０】
また、ワイヤ電極列３０は、非接触の電界カーテンとしてパーティクル２９に作用する。このため、ワイヤ電極列３０自体はほとんど劣化せず、そのパーティクル遮蔽作用を維持し続ける。つまり、ワイヤ電極列３０は、定期的な交換が不要なパーティクル遮蔽装置として働き、露光装置のスループットは低下しない。
【００８１】
本実施例では、ウエハステージ空間（真空チャンバ５）と投影光学系空間（真空チャンバ４）の境界における露光光通過用の開口部２８にワイヤ電極列３０を配置したが、配置場所はこれに限定されるものではない。前述のように、パーティクル２９が発生する露光装置内の真空チャンバ（ユニット）と、それに隣り合う他の真空チャンバ（ユニット）の境界部分であれば、いずれの場所にも配置することができる。
【００８２】
一般に、このような境界部分には、露光光通過のための必要最低限の開口部が備わっている。光源空間（真空チャンバ１）ではデブリ、照明光学系空間（真空チャンバ２）及び投影光学系空間（真空チャンバ４）では二次電子、レチクルステージ空間（真空チャンバ３）ではゴミ粒子が発生しうる。
【００８３】
このため、他にワイヤ電極列３０を配置することが好ましい場所としては、光源空間（真空チャンバ１）と照明光学系空間（真空チャンバ２）の境界の開口部２５が挙げられる。さらに、照明光学系空間（真空チャンバ２）とレチクルステージ空間（真空チャンバ３）の境界の開口部２６、レチクルステージ空間（真空チャンバ３）と投影光学系空間（真空チャンバ４）の境界の開口部２７にもワイヤ電極列３０を配置することがより好ましい。
【００８４】
以上のように、本実施例の構成によれば、隣り合う真空チャンバ（ユニット）間の境界を介したパーティクルの自由な行き来を効果的に防止することができる。これらの境界においてワイヤ電極列が配置されている場合でも、露光光の透過率は維持され、その透過率が実質的に低下することはない。
【実施例２】
【００８５】
次に、本発明の実施例２について説明する。図９は、実施例２の露光装置におけるウエハステージ空間（真空チャンバ５）及び投影光学系空間（真空チャンバ４）の構成図である。
【００８６】
本実施例の露光装置は、真空チャンバ４、５の内部に、真空チャンバ４、５の内部で発生するパーティクル２９をイオン化するイオン化装置３２が設置されている点で、実施例１の露光装置とは異なる。
【００８７】
本実施例のイオン化装置３２としては、例えば、レーザ光源、ＵＶランプ、電子線源、イオンビーム源等が用いられる。イオン化装置３２は、放出ガス等のパーティクル２９がワイヤ電極列３０に向かう過程において、パーティクル２９を積極的にイオン化又は帯電させる。パーティクル２９の帯電量が増加することで、パーティクル２９に作用する静電気力が増大し、ワイヤ電極列３０のパーティクル遮蔽効果が高まる。
【００８８】
イオン化装置３２の設置位置は、ワイヤ電極列３０に向かって飛散しているパーティクル２９に照射できる位置が好ましい。ウエハステージ空間（真空チャンバ５）であれば、ウエハ９の近傍からワイヤ電極列３０の間にイオン化ビームが照射されるのが望ましい。投影光学系空間（真空チャンバ４）では、投影光学系ミラー１８〜２３の近傍、又は、ワイヤ電極列３０の近傍にイオン化ビームが照射されるのが望ましい。
【００８９】
本実施例では、ウエハステージ空間（真空チャンバ５）と投影光学系空間（真空チャンバ４）の境界にワイヤ電極列３０を設置した場合のイオン化装置３２について説明した。ただし、本実施例のイオン化装置３２の設置場所は、これに限定されるものではない。ウエハステージ空間（真空チャンバ５）と投影光学系空間（真空チャンバ４）の境界以外の場所にワイヤ電極列３０を設置してもよい。
【００９０】
このような構成の場合、例えば、各ワイヤ電極列の近傍、光源空間（真空チャンバ１）のターゲット材２４の近傍、照明光学系空間（真空チャンバ２）の照明光学系ミラー１６、１７の近傍、レチクルステージ空間（真空チャンバ３）のレチクルステージ８の近傍等にイオン化装置３２を設置可能である。このように、イオン化装置３２は、ワイヤ電極列３０に向かって飛散しているパーティクル２９に照射できる位置に設置されることが好ましい。
【００９１】
本実施例の構成によれば、ワイヤ電極列３０に向かうパーティクル２９にイオン化ビームを照射することで、ワイヤ電極列３０のパーティクル遮蔽効果を高めることができる。
【実施例３】
【００９２】
次に、本発明の実施例３について説明する。図１０は、実施例３の露光装置におけるウエハステージ空間（真空チャンバ５）及び投影光学系空間（真空チャンバ４）の構成図である。
【００９３】
本実施例の露光装置は、真空チャンバ４、５の内部に、真空チャンバ４、５の内部に存在する帯電したパーティクル２９を捕らえる補助電極３３が設置されている点で、実施例１の露光装置とは異なる。
【００９４】
補助電極３３は、ワイヤ電極列３０によって跳ね返されたイオン化放出ガス等のパーティクル２９を即座に捕らえることにより、パーティクル２９が光学素子に再付着するのを防止する。図１０に示されるように、ウエハステージ空間（真空チャンバ５）及び投影光学系空間（真空チャンバ４）のそれぞれに、正負に荷電した一対の補助電極３３が設けられている。すなわち、図１０中の右側には正に帯電した補助電極３３が設置され、左側には負に帯電した補助電極３３が設置されている。
【００９５】
本実施例では、正負に帯電した一対の補助電極３３がワイヤ電極列３０の近傍に設置されているため、ワイヤ電極列３０によって跳ね返された帯電したパーティクル２９は、その正負を問わずに補助電極３３によって捕らえられる。すなわち、正に帯電したパーティクル２９は負に帯電した補助電極３３に捕らえられ、負に帯電したパーティクル２９は正に帯電した補助電極３３に捕らえられる。
【００９６】
本実施例の露光装置では、ウエハステージ空間（真空チャンバ５）と投影光学系空間（真空チャンバ４）の境界にワイヤ電極列３０を設置した場合の補助電極３３について説明した。ただし、これに限定されるものではなく、他のユニット境界（隣り合う真空チャンバの境界）にワイヤ電極列３０を設置することもできる。
【００９７】
このような構成でも、正負に荷電した一対の補助電極３３をワイヤ電極列３０の近傍に設置することで、ワイヤ電極列３０に跳ね返された帯電したパーティクル２９の光学素子への再付着を防止することができる。
【実施例４】
【００９８】
次に、本発明の実施例４について説明する。図１１は、実施例４の露光装置におけるウエハステージ空間（真空チャンバ５）及び投影光学系空間（真空チャンバ４）の構成図である。
【００９９】
本実施例の露光装置は、真空チャンバ４、５の内部に、実施例２と同様のイオン化装置３２、及び、実施例３と同様の補助電極３３が設置されている点で、実施例１の露光装置とは異なる。
【０１００】
本実施例では、ワイヤ電極列３０の近傍において、イオン化装置３２及び補助電極３３が設置されている。イオン化装置３２は、パーティクル２９を積極的に帯電させることにより、ワイヤ電極列３０のパーティクル遮蔽効果、及び、補助電極３３のパーティクル捕集効果をともに高めることができる。
【０１０１】
なお、本実施例では、ウエハステージ空間（真空チャンバ５）と投影光学系空間（真空チャンバ４）の境界にワイヤ電極列３０を設置した場合のイオン化装置３２と補助電極３３について説明した。ただし、これに限定されるものではなく、実施例３、４で説明したように、イオン化装置３２と補助電極３３は他のユニット境界（隣り合う真空チャンバの境界）に設けたワイヤ電極列３０の近傍に配置することもできる。また、イオン化装置は飛散しているパーティクル２９を照射できる位置に設置することもできる。他のユニット境界に設けたワイヤ電極列３０の近傍にイオン化装置３２及び補助電極３３を設置することにより、他のユニット境界においてもワイヤ電極列３０のパーティクル遮蔽効果、補助電極のパーティクル捕集効果を高めることができる。
【０１０２】
上記各実施例の露光装置は、半導体デバイス等の微細なパターンを有するデバイスの製造等に適して用いられる。上記各実施例は、特に、ＥＵＶ光のような短波長（０．５〜５０ｎｍ）の光を用いて露光を行う露光装置、又は、高真空雰囲気下でミラーやレンズ等の光学素子を用いて露光を行う露光装置に適して用いられる。
【０１０３】
デバイス（半導体集積回路素子、液晶表示素子等）は、前述のいずれかの実施例の露光装置を使用して感光剤を塗布した基板（ウエハ、ガラスプレート等）を露光する工程と、その基板を現像する工程と、他の周知の工程と、を経ることにより製造される。
【０１０４】
上記各実施例によれば、露光光の透過率を維持しながら、ＥＵＶ露光装置内の放出ガスやデブリ、二次電子、ゴミ粒子などのパーティクルが各ユニットを自由に行き来して光学素子を汚染するのを防ぐことが可能な露光装置を提供することができる。また、上記各実施例によれば、そのような露光装置を用いた高精度なデバイス製造方法を提供することができる。
【０１０５】
以上、本発明の実施例について具体的に説明した。ただし、本発明は上記実施例に記載された事項に限定されるものではなく、本発明の技術思想を逸脱しない範囲内で適宜変更が可能である。
【図面の簡単な説明】
【０１０６】
【図１】本実施例における露光装置の概略構成図である。
【図２】実施例１の露光装置におけるウエハステージ空間及び投影光学系空間の構成図である。
【図３】実施例１の露光装置に設けられた２つのワイヤ電極群で構成されたワイヤ電極列の構成図である。
【図４】実施例１の露光装置に設けられた３つのワイヤ電極群で構成されたワイヤ電極列の構成図である。
【図５】図３に示される２つのワイヤ電極群で構成されたワイヤ電極列に印加される交流電圧の波形図である。
【図６】図４に示される３つのワイヤ電極群で構成されたワイヤ電極列に印加される交流電圧の波形図である。
【図７】２つのワイヤ電極群で構成されたワイヤ電極列の効果を説明する図である。
【図８】実施例１の露光装置における露光光通過用の開口部の構成図である。
【図９】実施例２の露光装置におけるウエハステージ空間及び投影光学系空間の構成図である。
【図１０】実施例３の露光装置におけるウエハステージ空間及び投影光学系空間の構成図である。
【図１１】実施例４の露光装置におけるウエハステージ空間及び投影光学系空間の構成図である。
【符号の説明】
【０１０７】
１  真空チャンバ（光源空間）
２  真空チャンバ（照明光学系空間）
３  真空チャンバ（レチクルステージ空間）
４  真空チャンバ（投影光学系空間）
５  真空チャンバ（ウエハステージ空間）
６  レチクル
７  レチクル保持部
８  レチクルステージ
９  ウエハ
１０  ウエハ保持部
１１  ウエハステージ
１２  レチクルアライメント光学系
１３  ウエハアライメント光学系
１４  フォーカス位置検出機構
１５  ＥＵＶ光
１６、１７  照明光学系ミラー
１８、１９、２０、２１、２２、２３  投影光学系ミラー
２４  ターゲット材
２５、２６、２７、２８  開口部
２９  パーティクル
３０  ワイヤ電極列
３１  開口部の側壁
３２  イオン化装置
３３  補助電極
４５、４６、４７、４８  壁
１００  光源
２００  照明光学系
４００  投影光学系
７００  ＥＵＶ露光装置
Ｖａ、Ｖｂ、Ｖｃ  交流電圧
Ｗａ１、Ｗａ２、Ｗａ３、Ｗａ４、Ｗａ５  第１のワイヤ電極
Ｗｂ１、Ｗｂ２、Ｗｂ３、Ｗｂ４、Ｗｂ５  第２のワイヤ電極
Ｗｃ１、Ｗｃ２、Ｗｃ３  第３のワイヤ電極
【図１】
2009246046.tif 000003
【図２】
2009246046.tif 000004
【図３】
2009246046.tif 000005
【図４】
2009246046.tif 000006
【図５】
2009246046.tif 000007
【図６】
2009246046.tif 000008
【図７】
2009246046.tif 000009
【図８】
2009246046.tif 000010
【図９】
2009246046.tif 000011
【図１０】
2009246046.tif 000012
【図１１】
2009246046.tif 000013